(57)【要約】【課題】短絡保護回路を動作させない。【解決手段】媒体に印刷する印刷機構と、外部装置に接続可能な接続部と、外部装置を駆動する駆動回路と、外部装置へ電力を供給する状態と当該電力の供給を遮断する状態とを切り替えるスイッチング回路と、スイッチング回路と並列に配線されたサーミスターと、スイッチング回路へ電力を供給する状態と当該電力の供給を遮断する状態とを切り替えることができ、サーミスターの両端に発生する所定電圧に基づき、スイッチング回路への電力の供給を遮断する信号を発生し、スイッチング回路への電力の供給を遮断する遮断回路と、信号の発生を遅延させる遅延回路とを備え、遮断回路が動作していなくてスイッチング回路が遮断している状態で、駆動回路が外部装置の外部負荷を駆動していない時、電流がサーミスターを経由して外部負荷の側へ流れる所定時間に対して、遅延回路による信号の遅延時間を長く設定する、印刷装置。【選択図】図１
2020010537.tif 000002
【特許請求の範囲】
【請求項１】
媒体に印刷する印刷機構と、
外部装置に接続可能な接続部と、
前記接続部を介して前記外部装置を駆動する駆動回路と、
前記外部装置へ電力を供給する状態と前記電力の供給を遮断する状態とを切り替えるスイッチング回路と、
前記スイッチング回路と並列に配線されたサーミスターと、
前記スイッチング回路へ電力を供給する状態と前記電力の供給を遮断する状態とを切り替えることが可能であり、前記サーミスターの両端に発生する所定電圧に基づき、前記スイッチング回路への前記電力の供給を遮断する信号を発生し、前記スイッチング回路への前記電力の供給を遮断する遮断回路と、
前記信号の発生を遅延させる遅延回路と、を備え、
前記遮断回路が動作していなくて前記スイッチング回路が遮断している状態で、前記駆動回路が前記外部装置の負荷である外部負荷を駆動していない時、電流が前記サーミスターを経由して前記外部負荷の側へ流れる所定時間に対して、前記遅延回路による前記信号の遅延時間を長く設定する、
印刷装置。
【請求項２】
前記所定時間を経た後であって前記遅延時間の前に、前記サーミスターに前記電流が流れなくなることにより前記所定電圧が発生しなくなると、前記遮断回路は前記信号を発生しない、
請求項１に記載の印刷装置。
【請求項３】
前記遮断回路が動作していなくて前記スイッチング回路が遮断している状態で、前記駆動回路が前記外部負荷を駆動していない時、前記外部装置の側に短絡状態が発生すると、前記サーミスターを経由して前記外部装置の側へ流れる前記電流により前記サーミスターの両端に前記所定電圧が発生し、前記遮断回路は前記所定電圧に基づき、前記遅延回路で設定された前記遅延時間を経て前記信号を発生して、前記スイッチング回路への前記電力の供給を遮断する、
請求項２に記載の印刷装置。
【請求項４】
前記遮断回路はトランジスターを含み、
前記所定電圧は前記トランジスターをオンする電圧を発生する電圧である、
請求項１から請求項３のいずれか１項に記載の印刷装置。
【請求項５】
前記サーミスターは、正特性を有する、
請求項１から請求項４のいずれか１項に記載の印刷装置。
【請求項６】
前記外部装置の負荷は容量成分を含む、
請求項１から請求項５のいずれか１項に記載の印刷装置。
【請求項７】
前記遮断回路を介して、前記印刷機構に電力を供給する、
請求項１から請求項６のいずれか１項に記載の印刷装置。
【請求項８】
外部負荷を駆動する駆動回路と、
前記外部負荷へ電力を供給する状態と前記電力の供給を遮断する状態とを切り替えるスイッチング回路と、
前記スイッチング回路と並列に配線されたサーミスターと、
前記スイッチング回路へ電力を供給する状態と前記電力の供給を遮断する状態とを切り替えることが可能であり、前記サーミスターの両端に発生する所定電圧に基づき、前記スイッチング回路への前記電力の供給を遮断する信号を発生し、前記スイッチング回路への前記電力の供給を遮断する遮断回路と、
前記信号の発生を遅延させる遅延回路と、を備え、
前記遮断回路が動作していなくて前記スイッチング回路が遮断している状態で、前記駆動回路が前記外部負荷を駆動していない時、電流が前記サーミスターを経由して前記外部負荷の側へ流れる所定時間に対して、前記遅延回路による前記信号の遅延時間を長く設定する、
印刷装置の電源回路。
【発明の詳細な説明】
【技術分野】
【０００１】
本発明は、印刷装置および印刷装置の電源回路に関する。
【背景技術】
【０００２】
印刷装置およびキャッシュドロアーを備えるＰＯＳ（Ｐｏｉｎｔ  Ｏｆ  Ｓａｌｅｓ）システムが知られている。
印刷装置の電源回路からキャッシュドロアーに電源を供給することがある。このような電源回路では、サーミスターが備えられる場合があった。
【０００３】
特許文献１に係る印刷装置の電源回路では、ＤＫ駆動回路（短絡検出回路）において、サーミスターが、当該電源回路の出力ラインと、負荷となるキャッシュドロアーのソレノイドコイルの一端に接続される接点とに接続されている。当該サーミスターは、温度の上昇とともに電気抵抗が増大する正特性を有している。そして、当該サーミスターに電流が流れると、当該サーミスターの抵抗により温度が上昇し、当該温度の上昇にともなって当該サーミスターの抵抗値が増大し、当該サーミスターに流れる電流を抑制する（特許文献１参照。）。
【０００４】
特許文献２に係る印刷装置の電源回路では、ＤＫ駆動回路において、特許文献１の場合と同様に、サーミスターが用いられている（特許文献２参照。）。
また、特許文献２に係る印刷装置の電源回路では、短絡検出回路において、当該電源回路から負荷となるキャッシュドロアーに流れる電流が当該ダイオードの順方向電流となっている（特許文献２参照。）。
【０００５】
特許文献１に係る印刷装置（プリンター）のキャッシュドロアー接続用コネクターや、特許文献２に係る印刷装置（プリンター）のキャッシュドロアー接続用コネクターには、他のコネクターの接続時や異物混入時の保護用に短絡保護回路が必要となる。
【先行技術文献】
【特許文献】
【０００６】
【特許文献１】特開２０１５−５０８６１号公報
【特許文献２】特開２０１５−１３６２３４号公報
【発明の概要】
【発明が解決しようとする課題】
【０００７】
特許文献１に係る印刷装置の電源回路や、特許文献２に係る印刷装置の電源回路では、容量負荷を接続時に充電電流が流れるため、短絡検出回路が充電電流を検出して短絡保護回路がすぐに動作してしまう。キャッシュドロアー接続用コネクターにはキャッシュドロアー以外の機器が接続される場合がある。キャッシュドロアー接続用コネクターに接続される機器によっては、短絡保護回路がすぐに動作しないことが望まれていた。
【課題を解決するための手段】
【０００８】
上記課題を解決するために本発明の一態様は、媒体に印刷する印刷機構と、外部装置に接続可能な接続部と、前記接続部を介して前記外部装置を駆動する駆動回路と、前記外部装置へ電力を供給する状態と前記電力の供給を遮断する状態とを切り替えるスイッチング回路と、前記スイッチング回路と並列に配線されたサーミスターと、前記スイッチング回路へ電力を供給する状態と前記電力の供給を遮断する状態とを切り替えることが可能であり、前記サーミスターの両端に発生する所定電圧に基づき、前記スイッチング回路への前記電力の供給を遮断する信号を発生し、前記スイッチング回路への前記電力の供給を遮断する遮断回路と、前記信号の発生を遅延させる遅延回路と、を備え、前記遮断回路が動作していなくて前記スイッチング回路が遮断している状態で、前記駆動回路が前記外部装置の負荷である外部負荷を駆動していない時、電流が前記サーミスターを経由して前記外部負荷の側へ流れる所定時間に対して、前記遅延回路による前記信号の遅延時間を長く設定する、印刷装置である。
【０００９】
上記課題を解決するために本発明の一態様は、外部負荷を駆動する駆動回路と、前記外部負荷へ電力を供給する状態と前記電力の供給を遮断する状態とを切り替えるスイッチング回路と、前記スイッチング回路と並列に配線されたサーミスターと、前記スイッチング回路へ電力を供給する状態と前記電力の供給を遮断する状態とを切り替えることが可能であり、前記サーミスターの両端に発生する所定電圧に基づき、前記スイッチング回路への前記電力の供給を遮断する信号を発生し、前記スイッチング回路への前記電力の供給を遮断する遮断回路と、前記信号の発生を遅延させる遅延回路と、を備え、前記遮断回路が動作していなくて前記スイッチング回路が遮断している状態で、前記駆動回路が前記外部負荷を駆動していない時、電流が前記サーミスターを経由して前記外部負荷の側へ流れる所定時間に対して、前記遅延回路による前記信号の遅延時間を長く設定する、印刷装置の電源回路である。
【図面の簡単な説明】
【００１０】
【図１】本発明の一実施形態に係るＰＯＳシステムの概略的な外観を示す斜視図である。
【図２】本発明の一実施形態に係る印刷装置およびキャッシュドロアーの概略的な構成を示す図である。
【図３】本発明の一実施形態に係る印刷装置とキャッシュドロアーとの接続部分における概略的な回路の構成を示す図である。
【図４】本発明の一実施形態に係るロック解除電流供給部の構成を示す図である。
【図５】本発明の一実施形態に係るサーミスターの特性の一例を示す図である。
【図６】本発明の一実施形態に係る印刷装置において行われる処理の手順の一例を示す図である。
【発明を実施するための形態】
【００１１】
本発明の実施形態について図面を参照して詳細に説明する。
【００１２】
［ＰＯＳシステム］
図１は、本発明の一実施形態に係るＰＯＳシステム１の概略的な外観を示す斜視図である。
ＰＯＳシステム１は、印刷装置１１と、端末装置１２と、表示装置１３と、キャッシュドロアー１４と、バーコードスキャナー１５と、接続ケーブル１６を備える。
【００１３】
図２は、本発明の一実施形態に係る印刷装置１１およびキャッシュドロアー１４の概略的な構成を示す図である。
ここで、図２には、印刷装置１１およびキャッシュドロアー１４とともに、外部電源３１と、ＡＣ（Ａｌｔｅｒｎａｔｉｎｇ  Ｃｕｒｒｅｎｔ）アダプター３２と、接続ケーブル１６を示してある。
印刷装置１１は、制御部１１１と、印刷部１１２と、ロック解除電流供給部１１３と、印刷装置側コネクター１１４を備える。
キャッシュドロアー１４は、ロック機構１３１と、ドロアートレイ１３２と、ドロアー側コネクター１３３を備える。ロック機構１３１は、ソレノイドコイル１５１を備える。
【００１４】
印刷装置１１は、ＡＣアダプター３２を介して外部電源３１から電力が入力される。印刷装置１１は、入力された電力を用いて動作を行う。
また、印刷装置１１は、接続ケーブル１６を介して、キャッシュドロアー１４と接続されている。印刷装置１１は、レシートの発行、キャッシュドロアー１４のドロアートレイ１３２の開閉およびロックなどの動作を制御する。
【００１５】
図２では、印刷装置１１が、接続ケーブル１６を介して、キャッシュドロアー１４と接続されている場合の例について示しているが、印刷装置１１は、接続ケーブル１６を介して、キャッシュドロアー１４以外の外部装置と接続される場合がある。本実施形態では、外部装置は、容量負荷をもつ装置であるとして説明する。容量負荷をもつ装置は、例えば、内部に昇圧回路のコンデンサーを含むキャッシュドロアーや、ブザーなどである。
【００１６】
また、印刷装置１１は、端末装置１２と通信可能に接続されている。印刷装置１１は、端末装置１２から送信された各種の制御命令を受信し、受信された制御命令に基づいて各種の制御を行う。また、印刷装置１１は、制御結果を端末装置１２に対して送信する。
また、印刷装置１１は、バーコードスキャナー１５と通信可能に接続されている。印刷装置１１は、バーコードスキャナー１５から送信された商品名あるいは価格などの情報を受信し、受信された情報をレシートに反映させる。当該情報は、例えば、制御命令として通信される。
【００１７】
端末装置１２は、商品名あるいは価格などを入力するための入力キー、および、ＰＯＳシステム１の各種設定などを行うための操作キーなどを備える。
また、端末装置１２は、印刷装置１１と通信可能に接続されている。端末装置１２は、レシートの発行を指示する制御命令、キャッシュドロアー１４のドロアートレイ１３２の開閉を指示する制御命令などを印刷装置１１に対して送信する。また、端末装置１２は、印刷装置１１から送信された制御結果を受信する。
また、端末装置１２は、表示装置１３と通信可能に接続されている。端末装置１２は、表示対象の情報を表示装置１３に対して送信する。
【００１８】
表示装置１３は、情報を表示出力する画面を備える。
また、表示装置１３は、端末装置１２と通信可能に接続されている。表示装置１３は、端末装置１２から送信された表示対象の情報を受信し、受信された情報を画面に表示する。
また、表示装置１３は、他の情報を画面に表示してもよい。
【００１９】
キャッシュドロアー１４は、内部に現金などを収容することが可能なドロアートレイ１３２を開閉可能に収容する。
キャッシュドロアー１４は、接続ケーブル１６を介して、印刷装置１１と接続されている。
【００２０】
バーコードスキャナー１５は、例えば赤外光を照射してその反射光を検出することにより、商品に印刷されたバーコードを読み取る。
バーコードスキャナー１５は、印刷装置１１と通信可能に接続されている。バーコードスキャナー１５は、読み取られたバーコードの内容を表す情報を印刷装置１１に送信する。当該情報は、制御命令として通信される。
【００２１】
印刷装置１１の機能構成について説明する。
制御部１１１は、端末装置１２からの制御命令、あるいは、バーコードスキャナー１５からの制御命令に応じて、印刷装置１１の各部を制御する。
例えば、制御部１１１は、端末装置１２からキャッシュドロアー１４のドロアートレイ１３２を開閉する制御命令を受信したことに応じて、キャッシュドロアー１４を駆動する電流を供給する制御信号（図４の第１入力端子Ａ１のイネーブル信号ＥＮ）をロック解除電流供給部１１３に対して出力する。この後、制御部１１１は、駆動回路（図３の第１トランジスターＱ１）により、接続ケーブル１６を介して、制御命令で指定された期間の所定の駆動信号をキャッシュドロアー１４のロック機構１３１に対して出力する。
また、制御部１１１は、バーコードスキャナー１５から読み取られたバーコードの内容を表す情報を受信したことに応じて、受信された情報の一部または全部を含む表示対象の情報（印刷データ）を印刷部１１２に対して出力する。
【００２２】
印刷部１１２は、紙などの媒体に印刷する機構（説明の便宜上、印刷機構ともいう。）を備える。
印刷部１１２は、制御部１１１から出力された表示対象の情報を入力し、入力された情報を印刷用紙に印刷して、印刷された結果をレシートとして出力する。このように、印刷部１１２は、レシートを印刷する。
なお、媒体としては、例えば、印刷用紙以外の媒体が用いられてもよい。
【００２３】
ロック解除電流供給部１１３は、制御部１１１から出力されたキャッシュドロアー１４を駆動する電流を供給する制御命令を入力したことに応じて、接続ケーブル１６を介して、所定の駆動電流をキャッシュドロアー１４のロック機構１３１に対して送る。当該駆動電流は、ロック機構１３１のロック状態を解除する電流である。
【００２４】
印刷装置側コネクター１１４は、接続ケーブル１６の一端が接続されるコネクターである。印刷装置側コネクター１１４は、外部装置に接続可能である。
印刷装置側コネクター１１４は、モジュラージャックなどの任意のコネクターであってもよく、本実施形態では、接続ケーブル１６の一端と適合するコネクターである。
【００２５】
キャッシュドロアー１４の機能構成について説明する。
ロック機構１３１は、ソレノイドコイル１５１を備える。
ロック機構１３１は、印刷装置１１のロック解除電流供給部１１３から所定の駆動電流が供給され、かつ、印刷装置１１の制御部１１１から駆動回路により所定の駆動信号が入力された場合に、ソレノイドコイル１５１に電流を流して、ドロアートレイ１３２をロック状態から解除する機構を有する。
【００２６】
ここで、ドロアートレイ１３２のロック状態とは、ドロアートレイ１３２が閉じられたまま保持する状態を表す。また、ドロアートレイ１３２のロック状態を解除するとは、閉じられたドロアートレイ１３２を開くこと表す。
なお、本実施形態では、端末装置１２を操作するユーザー（人）は、端末装置１２を操作して所定の指示を入力することで、印刷装置１１により、ドロアートレイ１３２を開かせることが可能である。また、本実施形態では、ユーザーは、開かれたドロアートレイ１３２を手で押すことなどにより、ドロアートレイ１３２を閉じることが可能である。
【００２７】
ここで、ドロアートレイ１３２がロック状態となる機構およびロック状態が解除される機構としては、任意の構造の機構が用いられてもよい。
例えば、ロック機構１３１では、ソレノイドコイル１５１、係合部（図示せず）および被係合部（図示せず）などを備え、係合部と被係合部との係合が保持された状態がロック状態である。また、ロック状態において、ソレノイドコイル１５１に電流が流されることにより、係合部と被係合部との係合が解除されて、ドロアートレイ１３２が開かれる。また、開かれたドロアートレイ１３２が物理的に力により閉じられると、係合部と被係合部とが係合されて、ロック状態となる。
【００２８】
ドロアー側コネクター１３３は、接続ケーブル１６の他端が接続されるコネクターである。
ドロアー側コネクター１３３は、モジュラージャックなどの任意のコネクターであってもよく、本実施形態では、接続ケーブル１６の他端と適合するコネクターである。
【００２９】
図３は、本発明の一実施形態に係る印刷装置１１とキャッシュドロアー１４との接続部分における概略的な回路の構成を示す図である。
図３には、印刷装置１１とキャッシュドロアー１４が接続ケーブル１６を介して接続される部分について、概略的な回路の構成を示してある。
【００３０】
キャッシュドロアー１４における回路構成として、ソレノイドコイル１５１を示してある。
印刷装置１１における回路構成として、ロック解除電流供給部１１３と、トランジスター（説明の便宜上、第１トランジスターＱ１という。）を示してある。
ロック解除電流供給部１１３の出力端は、接続ケーブル１６を介して、ソレノイドコイル１５１の一端と接続されている。
第１トランジスターＱ１のコレクター端子は、接続ケーブル１６を介して、ソレノイドコイル１５１の他端と接続されている。
第１トランジスターＱ１のエミッター端子は、接地されている。
【００３１】
ロック解除電流供給部１１３には、制御部１１１から出力される所定の制御命令が入力される。これに応じて、ロック解除電流供給部１１３は、所定の駆動電流をソレノイドコイル１５１に供給する。
また、第１トランジスターＱ１のベース端子には、制御部１１１から出力される所定のコマンド信号が入力される。当該所定のコマンド信号は、例えば、１００ｍｓ程度の時間幅を有するパルス信号であるが、他の信号であってもよい。これに応じて、第１トランジスターＱ１のコレクター端子とエミッター端子とが導通し、ソレノイドコイル１５１に電流（所定の駆動電流）が流れる。
そして、ソレノイドコイル１５１に電流が流れると、ドロアートレイ１３２が開けられる。
一例として、ソレノイドコイル１５１の抵抗は２４Ω程度であり、ソレノイドコイル１５１に流される電流は１Ａ程度であるが、これらの値に限られない。
【００３２】
また、第１トランジスターＱ１は、例えば、印刷装置１１において、制御部１１１に備えられてもよく、あるいは、ロック解除電流供給部１１３に備えられてもよく、あるいは、他の部分（図示せず）に備えられてもよい。
また、他の例として、第１トランジスターＱ１は、接続ケーブル１６、あるいは、キャッシュドロアー１４に備えられてもよい。
なお、本実施形態では、第１トランジスターＱ１の側の回路として、説明を簡易化するために、第１トランジスターＱ１のみを示したが、これに限られず、他の様々な回路素子が用いられてもよい。
【００３３】
また、印刷装置１１の制御部１１１は、例えば、ドロアートレイ１３２を開かせるための所定の制御指令が端末装置１２から入力された場合に、当該制御指令によって指定された時間だけハイ（Ｈｉｇｈ）となるパルス信号を生成し、当該パルス信号を所定のコマンド信号として第１トランジスターＱ１のベース端子に出力することで、第１トランジスターＱ１をオンの状態にする。
第１トランジスターＱ１は、キャッシュドロアー１４のロック機構１３１を駆動する駆動回路として機能する。駆動回路である第１トランジスターＱ１は、印刷装置側コネクター１１４を介して外部装置を駆動する。
端末装置１２は、例えば、ドロアートレイ１３２を開かせるための指示がユーザーによる操作に応じて受け付けられた場合に、ドロアートレイ１３２を開かせるための所定の制御指令（コマンド信号）を印刷装置１１の制御部１１１に出力する。
なお、ドロアートレイ１３２を開かせるための指示は、端末装置１２以外の装置で発生させられてもよい。端末装置１２以外の装置としては、例えば、印刷装置１１、あるいは、表示装置１３などがある。
【００３４】
［ロック解除電流供給部］
図４は、本発明の一実施形態に係るロック解除電流供給部１１３の構成を示す図である。
ロック解除電流供給部１１３は、電源部３１１と、複数のトランジスター（説明の便宜上、第２トランジスターＱ２〜第１２トランジスターＱ１２という。）と、１個のサーミスター（説明の便宜上、第１サーミスターＦ１という。）と、複数の抵抗（説明の便宜上、第１抵抗Ｒ１〜第１４抵抗Ｒ１４という。）と、２個のコンデンサー（説明の便宜上、第１コンデンサーＣ１および第２コンデンサーＣ２という。）と、１個のスイッチ（説明の便宜上、第１スイッチＳＷ１という。）と、１個の入力端子（説明の便宜上、第１入力端子Ａ１という。）を備える。
ここで、第８トランジスターＱ８および第９トランジスターＱ９を用いて、ラッチ回路（説明の便宜上、第１ラッチ回路Ｂ１という。）が構成されている。
また、本実施形態では、キャッシュドロアー１４が負荷に相当する。
【００３５】
本実施形態では、第２トランジスターＱ２、第３トランジスターＱ３、第６トランジスターＱ６は、それぞれ、電界効果トランジスター（ＦＥＴ）である。
【００３６】
電源部３１１は、所定の電圧（本実施形態では、＋２４Ｖ＿ＩＮ）を出力端子から出力する。当該電圧は、例えば、＋２４Ｖであるが、当該電圧の値は他の値であってもよい。
電源部３１１は、例えば、ＡＣ（Ａｌｔｅｒｎａｔｉｎｇ  Ｃｕｒｒｅｎｔ）／ＤＣ（Ｄｉｒｅｃｔ  Ｃｕｒｒｅｎｔ）コンバーター（図示せず）を有しており、商用電源などから交流電流を入力して、入力された交流電流をＡＣ／ＤＣコンバーターにより直流電流に変換し、当該直流電流を出力端子から出力する。
【００３７】
図５は、本発明の一実施形態に係る第１サーミスターＦ１の特性１０１１の一例を示す図である。
図５に示されるグラフにおいて、横軸は第１サーミスターＦ１を流れる電流を表しており、縦軸は第１サーミスターＦ１の抵抗値を表している。そして、第１サーミスターＦ１の特性１０１１の一例を示してある。
本実施形態では、第１サーミスターＦ１の特性１０１１は正特性であり、すなわち、第１サーミスターＦ１を流れる電流が大きくなるほど、第１サーミスターＦ１の抵抗値が大きくなる。
なお、第１サーミスターＦ１に関して、電流と抵抗値との関係と、温度と抵抗値との関係は、同様である。このため、図５に示される横軸が電流の代わりに第１サーミスターＦ１の温度を表すと捉えても、特性１０１１の傾向は同様である。
【００３８】
＜ロック解除電流供給部の回路構成＞
ロック解除電流供給部１１３における回路素子の接続関係について説明する。
電源部３１１の出力端子と、第２トランジスターＱ２のソース端子とが接続されている。
第２トランジスターＱ２のドレイン端子と、第３トランジスターＱ３のソース端子とが接続されている。
第３トランジスターＱ３のドレイン端子と、キャッシュドロアー１４とが接続されている。
第１サーミスターＦ１が、第３トランジスターＱ３と並列に配線されるように接続されている。つまり、第１サーミスターＦ１は、スイッチング回路である第３トランジスターＱ３と並列に配線される。具体的には、第１サーミスターＦ１の一端が第３トランジスターＱ３のソース端子と接続されており、第１サーミスターＦ１の他端が第３トランジスターＱ３のドレイン端子と接続されている。
【００３９】
第４トランジスターＱ４のベース端子は、第１入力端子Ａ１と接続されている。
第３トランジスターＱ３のソース端子と第４トランジスターＱ４のコレクター端子との間に、第１抵抗Ｒ１と第２抵抗Ｒ２が直列に接続されている。具体的には、第１抵抗Ｒ１の一端と第３トランジスターＱ３のソース端子とが接続されており、第１抵抗Ｒ１の他端と第２抵抗Ｒ２の一端とが接続されており、第２抵抗Ｒ２の他端と第４トランジスターＱ４のコレクター端子とが接続されている。
第４トランジスターＱ４のエミッター端子は、接地されている。
第１抵抗Ｒ１と第２抵抗Ｒ２との接続点と、第３トランジスターＱ３のゲート端子とが、接続されている。
【００４０】
第５トランジスターＱ５のエミッター端子と第３トランジスターＱ３のソース端子とが接続されている。
第５トランジスターＱ５のエミッター端子と第５トランジスターＱ５のベース端子との間に、第３抵抗Ｒ３が接続されている。
第３トランジスターＱ３のドレイン端子と第５トランジスターＱ５のベース端子との間に、第４抵抗Ｒ４が接続されている。
第５トランジスターＱ５のコレクター端子に、第５抵抗Ｒ５と第６抵抗Ｒ６が直列に接続されている。具体的には、第５トランジスターＱ５のコレクター端子と第５抵抗Ｒ５の一端とが接続されており、第５抵抗Ｒ５の他端と第６抵抗Ｒ６の一端とが接続されている。
第６抵抗Ｒ６の他端は、接地されている。
【００４１】
第６トランジスターＱ６のゲート端子と、第５抵抗Ｒ５と第６抵抗Ｒ６と第２コンデンサーＣ２との接続点とが、接続されている。
第６トランジスターＱ６のソース端子は、第６抵抗Ｒ６の他端および第２コンデンサーＣ２の一端と接続されており、接地されている。
第６トランジスターＱ６のドレイン端子と、第７トランジスターＱ７のベース端子とが、接続されている。
【００４２】
第７トランジスターＱ７のエミッター端子は、所定の電圧源と接続されている。当該電圧源は、例えば、＋３．３Ｖの電圧を供給するが、当該電圧の値は他の値であってもよい。
第７トランジスターＱ７のコレクター端子に、第７抵抗Ｒ７と第８抵抗Ｒ８が直列に接続されている。具体的には、第７トランジスターＱ７のコレクター端子と第７抵抗Ｒ７の一端とが接続されており、第７抵抗Ｒ７の他端と第８抵抗Ｒ８の一端とが接続されている。
第８抵抗Ｒ８の他端は、接地されている。
【００４３】
第８トランジスターＱ８のコレクター端子と、第９トランジスターＱ９のベース端子と、第７抵抗Ｒ７と第８抵抗Ｒ８との接続点とが、接続されている。
第８トランジスターＱ８のベース端子と第９トランジスターＱ９のコレクター端子とが接続されている。
第２トランジスターＱ２のソース端子と第９トランジスターＱ９のコレクター端子との間に、第９抵抗Ｒ９と第１０抵抗Ｒ１０と第１１抵抗Ｒ１１が直列に接続されている。具体的には、第９抵抗Ｒ９の一端と第２トランジスターＱ２のソース端子とが接続されており、第９抵抗Ｒ９の他端と第１０抵抗Ｒ１０の一端とが接続されており、第１０抵抗Ｒ１０の他端と第１１抵抗Ｒ１１の一端とが接続されており、第１１抵抗Ｒ１１の他端と第９トランジスターＱ９のコレクター端子とが接続されている。
【００４４】
第８トランジスターＱ８のエミッター端子と、第１０抵抗Ｒ１０と第１１抵抗Ｒ１１との接続点とが、接続されている。
第９トランジスターＱ９のエミッター端子と第１０トランジスターＱ１０のコレクター端子とが接続されている。
第１０トランジスターＱ１０のエミッター端子は、第８抵抗Ｒ８の他端と接続されており、接地されている。
【００４５】
第１スイッチＳＷ１は、３個の端子を有している。具体的には、第１スイッチＳＷ１は、接地された端子と、第１２抵抗Ｒ１２を介して所定の電圧源と接続された端子と、出力端子を有している。当該電圧源は、例えば、電源部３１１から供給される＋２４Ｖの電圧を供給するが、当該電圧の値は他の値であってもよい。
第１スイッチＳＷ１では、出力端子が接地された状態であるオフの状態と、出力端子に電圧源からの電源が供給される状態であるオンの状態とが切り替えられることが可能である。
【００４６】
第１スイッチＳＷ１の出力端子と、第１０トランジスターＱ１０のベース端子と、第１１トランジスターＱ１１のベース端子とが、接続されている。
第１１トランジスターＱ１１のエミッター端子は、接地されている。
第２トランジスターＱ２のソース端子と第１１トランジスターＱ１１のコレクター端子との間に、第１３抵抗Ｒ１３と第１４抵抗Ｒ１４が直列に接続されている。具体的には、第２トランジスターＱ２のソース端子と第１３抵抗Ｒ１３の一端とが接続されており、第１３抵抗Ｒ１３の他端と第１４抵抗Ｒ１４の一端とが接続されており、第１４抵抗Ｒ１４の他端と第１１トランジスターＱ１１のコレクター端子とが接続されている。
【００４７】
第１２トランジスターＱ１２のベース端子と、第９抵抗Ｒ９と第１０抵抗Ｒ１０との接続点とが、接続されている。
第１２トランジスターＱ１２のコレクター端子と、第１３抵抗Ｒ１３と第１４抵抗Ｒ１４との接続点とが、接続されている。
第１２トランジスターＱ１２のエミッター端子と、第２トランジスターＱ２のソース端子とが接続されている。
【００４８】
第２トランジスターＱ２のソース端子と、第１３抵抗Ｒ１３と第１４抵抗Ｒ１４との接続点との間に、第１コンデンサーＣ１が接続されている。
第１３抵抗Ｒ１３と第１４抵抗Ｒ１４との接続点は、第２トランジスターＱ２のゲート端子と接続されている。
【００４９】
＜ロック解除電流供給部において行われる動作＞
ロック解除電流供給部１１３において行われる動作の例を説明する。
電源部３１１は、第２トランジスターＱ２のソース端子に、所定の電圧を印加する。ここでは、電源部３１１による電圧の印加が継続するとして説明する。
なお、電源部３１１による電圧の印加が停止したときには、ロック解除電流供給部１１３は、動作しない。
【００５０】
第１スイッチＳＷ１には、電源部３１１からの電圧（本実施形態では、＋２４Ｖ＿ＩＮ）が供給される。
第１スイッチＳＷ１は、オフの状態と、オンの状態とで、切り替えられる。第１スイッチＳＷ１の切り替えは、例えば、ユーザーにより手動で行われてもよく、あるいは、印刷装置１１または端末装置１２などにより自動的に行われてもよい。
【００５１】
第１スイッチＳＷ１がオフ状態である場合、第１１トランジスターＱ１１のベース端子が第１スイッチＳＷ１を介して接地される。このため、第１１トランジスターＱ１１のコレクター端子とエミッター端子の間に電流が流れず、第２トランジスターＱ２がオフの状態となる。この場合、電源部３１１からの電圧は、キャッシュドロアー１４に印加されない。
【００５２】
第１スイッチＳＷ１がオフ状態からオン状態に切り替えられた場合、第１１トランジスターＱ１１のベース端子に第１スイッチＳＷ１を介して所定の電圧が印加される。これにより、第１１トランジスターＱ１１のコレクター端子とエミッター端子の間が導通し、第２トランジスターＱ２のゲート端子に必要な大きさの電圧が印加されて、第２トランジスターＱ２がオンの状態となる。この場合、第２トランジスターＱ２のソース端子とドレイン端子との間が導通し、電源部３１１からの電圧（本実施形態では、＋２４Ｖ＿Ｍａｉｎ）がキャッシュドロアー１４および印刷部１１２の印刷機構などに印加される。
なお、第２トランジスターＱ２の出力端における電圧は、例えば、キャッシュドロアー１４の第１トランジスターＱ１に供給されてもよく、また、任意のロジック系などに供給されてもよい。
【００５３】
ここで、第２トランジスターＱ２がオン状態であるとき、電源部３１１からの電圧がキャッシュドロアー１４に印加される経路が２通りある。すなわち、第１サーミスターＦ１を介して電源部３１１からの電圧がキャッシュドロアー１４に印加される経路と、第３トランジスターＱ３を介して電源部３１１からの電圧がキャッシュドロアー１４に印加される経路がある。
第３トランジスターＱ３は、キャッシュドロアー１４へ電力を供給する状態と、当該電力の供給を遮断する状態とを切り替えるスイッチング回路として機能する。
【００５４】
第１入力端子Ａ１には、所定のイネーブル信号が印加される。当該イネーブル信号は、電圧がハイ（Ｈｉｇｈ）である信号が出力される状態（ハイの状態）と、電圧がロー（Ｌｏｗ）である信号が出力される状態（ロウの状態）を有する。
当該イネーブル信号は、例えば、印刷装置１１の制御部１１１による制御によって、ハイの状態とロウの状態とが切り替えられる。
【００５５】
本実施形態では、説明の便宜上、第１入力端子Ａ１に印加されるイネーブル信号がロウの状態であるときの状態を、定常状態と呼んで説明する。
また、本実施形態では、説明の便宜上、第１入力端子Ａ１に印加されるイネーブル信号がハイの状態であるときの状態を、ドロアー駆動状態と呼んで説明する。
【００５６】
すなわち、定常状態であるときには、第４トランジスターＱ４のベース端子に印加される電圧が小さく、第４トランジスターＱ４のコレクター端子とエミッター端子との間が導通しない。このため、第３トランジスターＱ３のゲート端子に印加される電圧が小さく、第３トランジスターＱ３のソース端子とドレイン端子との間が導通しない。この場合、第３トランジスターＱ３はオフの状態であり、第１サーミスターＦ１を介して電源部３１１からの電圧がキャッシュドロアー１４に印加される。
【００５７】
一方、ドロアー駆動状態であるときには、第４トランジスターＱ４のベース端子に必要な大きさの電圧が印加されて、第４トランジスターＱ４のコレクター端子とエミッター端子との間が導通する。これにより、第３トランジスターＱ３のゲート端子に必要な大きさの電圧が印加されて、第３トランジスターＱ３のソース端子とドレイン端子との間が導通する。この場合、第３トランジスターＱ３はオンの状態であり、第３トランジスターＱ３を介して電源部３１１からの電圧がキャッシュドロアー１４に印加される。
【００５８】
本実施形態では、定常状態において、制御部１１１によりイネーブル信号がロウの状態からハイの状態へ切り替えられると、第３トランジスターＱ３がオフの状態からオンの状態へ切り替えられ、ドロアー駆動状態となる。
ドロアー駆動状態では、電源部３１１からの電圧は第３トランジスターＱ３を通過し、第１サーミスターＦ１にはほぼ印加されず、第１サーミスターＦ１にかかる電圧がほぼゼロ（０）になる。
そして、ドロアー駆動状態において、図３に示される第１トランジスターＱ１が一時的にオンの状態に切り替えられることで、第３トランジスターＱ３を経由する経路を介して、ソレノイドコイル１５１に電流を流し、これにより、キャッシュドロアー１４のドロアートレイ１３２を駆動させて開かせる。
その後、制御部１１１によりイネーブル信号がハイの状態からロウの状態へ切り替えられると、第３トランジスターＱ３がオンの状態からオフの状態へ切り替えられ、定常状態となる。
なお、本実施形態では、このようにイネーブル信号が用いられることで、例えば、第３トランジスターＱ３の過渡状態を回避することが可能である。
【００５９】
定常状態における短絡保護について説明する。
定常状態において、第３トランジスターＱ３のドレイン端子の側に接続される負荷において短絡が発生した場合、第１サーミスターＦ１を経由して大電流が流れることになる。
この場合、第１サーミスターＦ１において電圧降下する量が増大し、第３抵抗Ｒ３において電圧降下する量が増大していく。すると、第５トランジスターＱ５のベース端子とエミッター端子との間にかかる電圧が増大していき、当該電圧が所定の電圧（閾値）に達すると、第５トランジスターＱ５がオフの状態からオンの状態に切り替えられる。これにより、以下で説明する遅延時間を経て第２トランジスターＱ２がオン状態からオフ状態へ切り替えられることで、電源部３１１からの電圧が第１サーミスターＦ１に供給されなくなり、第１サーミスターＦ１を経由して負荷に流れる電流が停止させられる。これによって、短絡保護が実現される。
【００６０】
ここで、短絡保護動作について詳しく説明する。
第５トランジスターＱ５がオフの状態からオンの状態に切り替えられると、第５抵抗Ｒ５および第６抵抗Ｒ６を経由して第２コンデンサーＣ２への充電が開始される。第２コンデンサーＣ２の充電が完了すると、第６トランジスターＱ６のゲート端子に必要な大きさの電圧が印加されて、第６トランジスターＱ６がオフの状態からオンの状態に切り替えられる。すると、第７トランジスターＱ７がオフの状態からオンの状態に切り替えられる。すると、第１ラッチ回路Ｂ１を構成する第８トランジスターＱ８および第９トランジスターＱ９がオフの状態からオンの状態に切り替えられ、つまり、第１ラッチ回路Ｂ１がオフの状態からオンの状態に切り替えられる。すると、第１０トランジスターＱ１０のコレクター端子とエミッター端子との間に電流が流れ、第１２トランジスターＱ１２がオフの状態からオンの状態に切り替えられる。すると、第１２トランジスターＱ１２のコレクター端子とエミッター端子間の電位差が小さくなることにより、第２トランジスターＱ２のゲート端子とソース端子間の電位差が小さくなって、第２トランジスターＱ２がオンの状態からオフの状態に切り替えられる。
これにより、第２トランジスターＱ２のソース端子とドレイン端子との間が導通しなくなり、電源部３１１からの電圧が第２トランジスターＱ２を通過しなくなる。
【００６１】
ロック解除電流供給部１１３では、第３トランジスターＱ３のドレイン端子の側に接続される負荷において短絡が発生してから短絡保護回路が動作するまでに遅延時間が発生している。ここで遅延時間は、第３トランジスターＱ３のドレイン端子の側に接続される負荷において短絡が発生してから第６トランジスターＱ６がオンの状態となるまでの時間である。
ここで、本実施形態では、第５抵抗Ｒ５、第２コンデンサーＣ２、第６抵抗Ｒ６、および第６トランジスターＱ６を含む回路により、遅延回路が構成されている。
【００６２】
なお、本実施形態では、定常状態において、負荷において短絡が発生していないときには、第５トランジスターＱ５〜第９トランジスターＱ９および第１２トランジスターＱ１２はオフの状態である。
また、このとき、第１０トランジスターＱ１０はオンの状態であるが、第１０トランジスターＱ１０のコレクター端子とエミッター端子との間には電流は流れていない。
【００６３】
また、本実施形態では、負荷において短絡が発生していないときには、第５トランジスターＱ５のベース端子とエミッター端子との間にかかる電圧が所定の電圧（閾値）未満となるように、第３抵抗Ｒ３の抵抗値および第４抵抗Ｒ４の抵抗値が設定されている。つまり、本実施形態では、第３抵抗Ｒ３の抵抗値および第４抵抗Ｒ４の抵抗値が調整されることで、短絡保護動作が開始される電流の閾値を調整することが可能である。
【００６４】
ここで、本実施形態では、第５トランジスターＱ５〜第１０トランジスターＱ１０、第１２トランジスターＱ１２、第２トランジスターＱ２を含む回路により、スイッチング回路である第３トランジスターＱ３へ電力を供給する状態と当該電力の供給を遮断する状態とを切り替えることが可能であり、第１サーミスターＦ１の両端に発生する所定電圧に基づき第３トランジスターＱ３への電力の供給を遮断する遮断回路の機能が構成されている。
そして、当該遮断回路が動作していなくて第３トランジスターＱ３が遮断している状態で、第１トランジスターＱ１がキャッシュドロアー１４を駆動していない時、キャッシュドロアー１４の側に短絡状態が発生すると、第１サーミスターＦ１の両端に発生する所定電圧に基づき当該遮断回路が動作して第３トランジスターＱ３への電力の供給を遮断する。
【００６５】
具体的には、第１サーミスターＦ１の両端に所定電圧が発生すると、第５トランジスターＱ５のベース端子とエミッター端子との間に所定の電圧またはそれを超える電圧が発生する。つまり、遮断回路は第５トランジスターＱ５を含み、第１サーミスターＦ１の両端に発生する所定電圧は第５トランジスターＱ５をオンする電圧を発生する電圧である。当該所定の電圧は、例えば第５トランジスターＱ５のようなＰＮＰトランジスターの場合、オンとなる０．６Ｖ程度であるが、他の回路素子を採用する場合、特性に応じてオンとなる他の電圧値であってもよい。
第５トランジスターＱ５のベース端子とエミッター端子との間に所定の電圧またはそれを超える電圧が発生すると、第５トランジスターＱ５〜第９トランジスターＱ９、第１２トランジスターＱ１２がオンの状態に切り替えられ、第２トランジスターＱ２がオフの状態に切り替えられる。
【００６６】
上述したように、ロック解除電流供給部１１３では、第２トランジスターＱ２がオンの状態となることにより、電源部３１１からの電圧（本実施形態では、＋２４Ｖ＿Ｍａｉｎ）がキャッシュドロアー１４および印刷部１１２の印刷機構などに印加される。つまり、ロック解除電流供給部１１３では、遮断回路を介して、印刷機構に電力を供給する。
【００６７】
ここで、第６トランジスターＱ６が、オフの状態からオンの状態に切り替えられるときに第７トランジスターＱ７に出力する信号を遮断信号という。遮断回路では、第６トランジスターＱ６が遮断信号を発生すると、上述の経路を経由して第３トランジスターＱ３への電力の供給が遮断される。
遮断回路では、スイッチング回路である第３トランジスターＱ３へ電力を供給する状態と当該電力の供給を遮断する状態とを切り替えることが可能であり、第１サーミスターＦ１の両端に発生する所定電圧に基づき、第３トランジスターＱ３への電力の供給を遮断する遮断信号を発生し、第３トランジスターＱ３への電力の供給を遮断する。
【００６８】
上述したように、ロック解除電流供給部１１３では、定常状態において、第３トランジスターＱ３のドレイン端子の側に接続される負荷において短絡が発生すると、遅延回路が遮断信号の発生を遅延させることによる遅延時間を経て電源部３１１からの電圧が第２トランジスターＱ２を通過しなくなる。
つまり、ロック解除電流供給部１１３では、遮断回路が動作していなくて第３トランジスターＱ３がオフの状態で、第１トランジスターＱ１が外部装置の容量負荷を駆動していない時、第３トランジスターＱ３のドレイン端子の側に短絡状態が発生すると、第１サーミスターＦ１を経由して外部装置の側へ流れる電流により第１サーミスターＦ１の両端に所定電圧が発生し、遮断回路は第１サーミスターＦ１の両端に発生した所定電圧に基づき、遅延回路で設定された遅延時間を経て遮断信号を発生して、第３トランジスターＱ３への電力の供給を遮断する。
【００６９】
＜容量負荷が接続された場合に行われる動作＞
図４において、キャッシュドロアー１４の代わりに容量負荷を含む外部装置が接続された場合のロック解除電流供給部１１３の動作について説明する。
キャッシュドロアー１４の代わりに容量負荷を含む外部装置が接続された場合、第１サーミスターＦ１を経由して外部装置の容量負荷に充電電流が流れる。
この場合、第１サーミスターＦ１において電圧降下する量が増大し、第３抵抗Ｒ３において電圧降下する量が増大していく。すると、第５トランジスターＱ５のベース端子とエミッター端子との間にかかる電圧が増大していき、当該電圧が所定の電圧（閾値）に達すると、第５トランジスターＱ５がオフの状態からオンの状態に切り替えられる。
【００７０】
これにより、第５抵抗Ｒ５および第６抵抗Ｒ６を経由して第２コンデンサーＣ２への充電が開始される。第２コンデンサーＣ２の充電が完了すると、第６トランジスターＱ６のゲート端子に必要な大きさの電圧が印加されて、第６トランジスターＱ６がオンの状態となる。第６トランジスターＱ６がオンの状態となると、上述した短絡保護回路が動作する。
上述した短絡保護回路の動作により、第２トランジスターＱ２のソース端子とドレイン端子との間が導通しなくなり、電源部３１１からの電圧が第２トランジスターＱ２を通過しなくなる。
【００７１】
ロック解除電流供給部１１３では、容量負荷を含む外部装置が接続されてから短絡保護回路が動作するまでに遅延時間が発生している。ここで遅延時間は、第２コンデンサーＣ２の充電時間と、第２コンデンサーＣ２の充電が完了してから第６トランジスターＱ６がオンの状態となるまでの時間とを合わせた時間である。
【００７２】
遅延時間は、接続される外部装置の容量負荷の充電時間よりも長くする必要がある。ここで接続される外部装置は、上述したように、例えば、内部に昇圧回路のコンデンサーを含むキャッシュドロアーや、ブザーなどであり、それらの外部装置の容量負荷の充電時間は既知であるとする。ロック解除電流供給部１１３において、遅延時間は、接続される外部装置の容量負荷の充電時間よりも容易に長く設定することができる。ここで電流制限などに使用されるサーミスターの抵抗値は、一般的に数オーム〜数十オームである。そのため、外部装置の容量負荷を充電する第１サーミスターＦ１として、例えば電流制限などに使用されるサーミスターを用いれば、外部装置の容量負荷の充電時間は、遅延時間に比べて十分短くすることができる。
【００７３】
ロック解除電流供給部１１３では、遮断回路が動作していなくてスイッチング回路である第３トランジスターＱ３がオフの状態で、第１トランジスターＱ１が外部装置の負荷である外部負荷を駆動していない時、電流が第１サーミスターＦ１を経由して外部負荷の側へ流れる所定時間に対して、遅延回路による遮断信号の遅延時間が長く設定される。
【００７４】
ロック解除電流供給部１１３では、外部装置の容量負荷の充電が完了した後、第２コンデンサーＣ２の充電が完了するまでに、第１サーミスターＦ１に電流が流れなくなることにより第３抵抗Ｒ３における電圧降下する量が減少していき、第５トランジスターＱ５のベース端子とエミッター端子間の電位差が所定電圧より低くなってオフの状態になる、したがって、第６トランジスターＱ６のゲート端子に必要な大きさの電圧が印加されなく、第６トランジスターＱ６はオンの状態にならない。第６トランジスターＱ６はオンの状態にならないため、短絡保護回路は動作しない。
つまり、ロック解除電流供給部１１３では、電流が第１サーミスターＦ１を経由して外部装置の容量負荷の側へ流れる所定時間を経た後であって遅延時間の前に、第１サーミスターＦ１に電流が流れなくなることにより第１サーミスターＦ１の両端に発生する所定電圧が発生しなくなると、遮断回路は遮断信号を発生しない。
【００７５】
［印刷装置において行われる処理の手順］
印刷装置１１において行われる処理の手順の例を説明する。
図６は、本発明の一実施形態に係る印刷装置１１において行われる処理の手順の一例を示す図である。
図６の例では、定常状態からドロアー駆動状態に切り替えてドロアートレイ１３２を開かせる制御について説明する。
【００７６】
（ステップＳ１）
印刷装置１１において、ユーザーにより端末装置１２が操作されることなどにより、第１スイッチＳＷ１がオフの状態からオンの状態に切り替えられる。これにより、ロック解除電流供給部１１３が定常状態となる。そして、ステップＳ２の処理へ移行する。
【００７７】
（ステップＳ２）
印刷装置１１において、ユーザーにより端末装置１２が操作されることなどに応じて、制御部１１１は、第１入力端子Ａ１に入力されるイネーブル信号をロウの状態からハイの状態に切り替える。これにより、ロック解除電流供給部１１３がドロアー駆動状態となる。そして、ステップＳ３の処理へ移行する。
【００７８】
（ステップＳ３）
印刷装置１１において、制御部１１１は、ドロアー駆動状態において、キャッシュドロアー１４のソレノイドコイル１５１に電流を流すための所定のコマンド信号を第１トランジスターＱ１のベース端子に出力する。これにより、キャッシュドロアー１４のソレノイドコイル１５１に電流が流れ、ドロアートレイ１３２が駆動されて開かれる。
【００７９】
［実施形態のまとめ］
以上のように、本実施形態に係るＰＯＳシステム１の印刷装置１１におけるロック解除電流供給部１１３では、第２コンデンサーＣ２が備えられている。
本実施形態に係るロック解除電流供給部１１３では、駆動回路がオフの状態であるときに、外部装置が接続された場合に、短絡保護回路が動作するまでの時間を遅延させることができる。ロック解除電流供給部１１３では、遮断回路から出力される遮断信号の出力を遅延時間だけ遅らせるため、遅延時間が経過するまでは短絡保護回路が動作しない。ここで電流が第１サーミスターＦ１を経由して外部装置の負荷の側へ流れる所定時間に対して、遅延回路による遮断信号の遅延時間を長く設定されている。したがって、ロック解除電流供給部１１３では、外部装置が接続されても、短絡保護回路は遅延時間が経過するまでは動作せず、接続された外部装置に電力供給を行うことができる。
【００８０】
本実施形態に係るロック解除電流供給部１１３では、外部装置の負荷は容量成分を含む場合には、遅延時間が経過するまでは短絡保護回路が動作しないため、外部装置の負荷は容量成分を充電できる。
【００８１】
また、本実施形態に係るロック解除電流供給部１１３では、外部装置の容量負荷の充電が完了するまでの所定時間を経た後であって遅延時間の前に、第１サーミスターＦ１に電流が流れなくなることにより第１サーミスターＦ１の両端に発生する所定電圧が発生しなくなると、遮断回路は遮断信号を発生しない。
したがって、本実施形態に係るロック解除電流供給部１１３では、電力の供給を遮断する必要がない場合にスイッチング回路である第３トランジスターＱ３への電力の供給を遮断することを抑止できる。
【００８２】
また、本実施形態に係るロック解除電流供給部１１３では、駆動回路がオフの状態であるときに、外部装置の側に短絡状態が発生すると、第１サーミスターＦ１を経由して外部装置の側へ流れる電流により第１サーミスターＦ１の両端に所定電圧が発生し、遮断回路は所定電圧に基づき、遅延回路で設定された遅延時間を経て遮断信号を発生して、スイッチング回路である第３トランジスターＱ３への電力の供給を遮断する。
したがって、本実施形態に係るロック解除電流供給部１１３では、遅延時間を経れば外部装置に大電流が流れない短絡検出回路を実現することができる。
【００８３】
本実施形態に係るロック解除電流供給部１１３では、遮断回路は第５トランジスターＱ５を含み、第１サーミスターＦ１の両端に発生する所定電圧は第５トランジスターＱ５をオンする電圧を発生する電圧である。
したがって、第５トランジスターＱ５をオンする電圧を発生する電圧を用いて遮断回路が遮断信号を発生することができる。
【００８４】
本実施形態に係るロック解除電流供給部１１３では、定常状態において、正常時にはキャッシュドロアー１４に所定の電圧を印加することができ、また、短絡時には第１サーミスターＦ１により短絡の異常を検出して保護することができる。
このような短絡保護回路は、例えば、印刷装置１１に接続された接続ケーブル１６のキャッシュドロアー１４の側にキャッシュドロアー１４以外の装置が接続される場合、あるいは、接続ケーブル１６の代わりに他の規格のケーブルが印刷装置１１に接続される場合、あるいは、接続ケーブル１６などに異物が混入した場合などに、有用である。
【００８５】
本実施形態に係る印刷装置１１では、第３トランジスターＱ３を介してキャッシュドロアー１４に電源を供給する系（説明の便宜上、電源系という。）と、第１トランジスターＱ１を介してキャッシュドロアー１４に制御信号を与える系（説明の便宜上、制御系という。）とが、別々に設けられている。
例えば、第３トランジスターＱ３の過渡状態で第３トランジスターＱ３に制御信号が流されると壊れる可能性があるが、本実施形態では、第３トランジスターＱ３を有する電源系と、第１トランジスターＱ１を有する制御系とが別々に設けられており、このような問題を解消することができる。
【００８６】
ここで、本実施形態では、ロック解除電流供給部１１３において、第５トランジスターＱ５と第１ラッチ回路Ｂ１との間に、第６トランジスターＱ６および第７トランジスターＱ７などが備えられる構成を示したが、他の例として、第５トランジスターＱ５と第１ラッチ回路Ｂ１との間に、１個以上の抵抗が備えられる構成が用いられてもよい。
また、本実施形態では、ロック解除電流供給部１１３において、第５トランジスターＱ５と第１ラッチ回路Ｂ１との間で、＋３．３Ｖの電圧が使用されており、これにより、例えば、ロック解除電流供給部１１３を備える印刷装置１１の電源がオフからオンに切り替えられたときから＋３．３Ｖの電圧が立ち上がるまでは、短絡保護の動作にマスクがかかり、つまり、短絡保護の動作が行われない。
また、本実施形態では、ロック解除電流供給部１１３において、第１ラッチ回路Ｂ１がディスクリート半導体を用いて構成されているが、他の例として、第１ラッチ回路Ｂ１がＩＣなどを用いて構成されてもよい。
【００８７】
＜変形例＞
本実施形態に係るロック解除電流供給部１１３では、第３トランジスターＱ３と第１サーミスターＦ１とが並列に備えられる構成を有するが、変形例として、第１サーミスターＦ１の代わりに抵抗が用いられて、第３トランジスターＱ３と当該抵抗とが並列に備えられる構成が用いられてもよい。
これらの構成を比較すると、例えば、一般にサーミスターは低抵抗で大電流に耐えられるため、その点で、第１サーミスターＦ１が用いられる構成の方が有効であり、一方、抵抗が用いられる場合には電力定格が大きい抵抗を選定する必要がある。
【００８８】
また、本実施形態では、第２コンデンサーＣ２が、第６トランジスターＱ６のゲート端子と、第５抵抗Ｒ５と、第６抵抗Ｒ６とに接続されている場合について説明したが、これに限らない。第２コンデンサーＣ２は、第８抵抗Ｒ８に並列に接続されてもよい。また、第２コンデンサーＣ２は、第７抵抗Ｒ７に並列に接続されてもよい。
【００８９】
また、本実施形態では、第２コンデンサーＣ２を用いて短絡保護回路が動作するまでの遅延時間を発生させる場合について説明したが、これに限らない。第２コンデンサーＣ２の代わりに、例えば、リセットＩＣ（Ｉｎｔｅｇｒａｔｅｄ  Ｃｉｒｃｕｉｔ）や、ボルテージディテクターが含まれるタイマーＩＣが用いられてもよい。
【００９０】
また、本実施形態では、第６トランジスターＱ６と第１ラッチ回路Ｂ１との間に、第７トランジスターＱ７と第７抵抗Ｒ７とが備えられる場合について説明したが、これに限らない。第６トランジスターＱ６と第１ラッチ回路Ｂ１との間には、第７抵抗Ｒ７が備えられて第７トランジスターＱ７は備えられなくてもよい。
【００９１】
＜構成例＞
一構成例として、印刷装置（本実施形態では、印刷装置１１）において、媒体に印刷する印刷機構（本実施形態では、印刷部１１２の印刷機構）と、外部装置（本実施形態では、キャッシュドロアー１４）に接続可能な接続部（本実施形態では、接続ケーブル１６が接続されるモジュラージャックなどのコネクター）と、接続部を介して外部装置を駆動する駆動回路（本実施形態では、第１トランジスターＱ１）と、外部装置へ電力（本実施形態では、＋２４Ｖ＿ＤＫの電力）を供給する状態と当該電力の供給を遮断する状態とを切り替えるスイッチング回路（本実施形態では、第３トランジスターＱ３）と、スイッチング回路と並列に配線されたサーミスター（本実施形態では、第１サーミスターＦ１）と、スイッチング回路へ電力（本実施形態では、＋２４Ｖ＿Ｍａｉｎの電力）を供給する状態と当該電力の供給を遮断する状態とを切り替えることが可能であり、サーミスターの両端に発生する所定電圧に基づき、スイッチング回路への電力（本実施形態では、＋２４Ｖ＿Ｍａｉｎの電力）の供給を遮断する信号（遮断信号）を発生し、スイッチング回路への電力の供給を遮断する遮断回路（本実施形態では、第５トランジスターＱ５〜第１０トランジスターＱ１０、第１２トランジスターＱ１２、第２トランジスターＱ２を含む回路）と、信号（遮断信号）の発生を遅延させる遅延回路（本実施形態では、第５抵抗Ｒ５、第２コンデンサーＣ２、第６抵抗Ｒ６、および第６トランジスターＱ６を含む回路）と、を備える。なお、当該遮断回路としては、例えば、第２トランジスターＱ２であると捉えられてもよい。
そして、印刷装置では、遮断回路が動作していなくてスイッチング回路が遮断している状態で、駆動回路が外部装置の負荷である外部負荷を駆動していない時、電流がサーミスターを経由して外部負荷の側へ流れる所定時間に対して、遅延回路による信号（遮断信号）の遅延時間を長く設定する。
【００９２】
一構成例として、印刷装置において、所定時間を経た後であって遅延時間の前に、サーミスターに電流が流れなくなることにより所定電圧が発生しなくなると、遮断回路は信号（遮断信号）を発生しない。
一構成例として、印刷装置において、遮断回路が動作していなくてスイッチング回路が遮断している状態で、駆動回路が外部負荷を駆動していない時、外部装置の側に短絡状態が発生すると、サーミスターを経由して外部装置の側へ流れる電流によりサーミスターの両端に所定電圧が発生し、遮断回路は所定電圧に基づき、遅延回路で設定された遅延時間を経て信号（遮断信号）を発生して、スイッチング回路への電力の供給を遮断する。
【００９３】
一構成例として、印刷装置において、遮断回路はトランジスター（本実施形態では、第５トランジスターＱ５）を含み、所定電圧は当該トランジスターをオンする電圧を発生する電圧である。
一構成例として、印刷装置において、サーミスターは、正特性を有する。
一構成例として、印刷装置において、外部装置の負荷は容量成分を含む。
一構成例として、印刷装置において、遮断回路（本実施形態では、遮断回路の一部である第２トランジスターＱ２）を介して、印刷機構に電力（本実施形態では、＋２４Ｖ＿Ｍａｉｎの電力）を供給する。
【００９４】
一構成例として、印刷装置の電源回路（本実施形態では、図３および図４に示される印刷装置１１の電源回路）において、外部負荷（外部装置の負荷）を駆動する駆動回路と、外部負荷へ電力を供給する状態と当該電力の供給を遮断する状態とを切り替えるスイッチング回路と、スイッチング回路と並列に配線されたサーミスターと、スイッチング回路へ電力を供給する状態と当該電力の供給を遮断する状態とを切り替えることが可能であり、サーミスターの両端に発生する所定電圧に基づき、スイッチング回路への電力の供給を遮断する信号（遮断信号）を発生し、スイッチング回路への電力の供給を遮断する遮断回路と、信号（遮断信号）の発生を遅延させる遅延回路と、を備える。
そして、印刷装置の電源回路では、遮断回路が動作していなくてスイッチング回路が遮断している状態で、駆動回路が外部負荷を駆動していない時、電流がサーミスターを経由して外部負荷の側へ流れる所定時間に対して、遅延回路による信号（遮断信号）の遅延時間を長く設定する。
【００９５】
なお、以上に説明した装置（例えば、印刷装置１１、端末装置１２、表示装置１３など）における任意の構成部の機能を実現するためのプログラムを、コンピューター読み取り可能な記録媒体（記憶媒体）に記録（記憶）し、そのプログラムをコンピューターシステムに読み込ませて実行するようにしてもよい。なお、ここでいう「コンピューターシステム」とは、オペレーティングシステム（ＯＳ：Ｏｐｅｒａｔｉｎｇ  Ｓｙｓｔｅｍ）あるいは周辺機器等のハードウェアを含むものとする。また、「コンピューター読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｃ）−ＲＯＭ等の可搬媒体、コンピューターシステムに内蔵されるハードディスク等の記憶装置のことをいう。さらに「コンピューター読み取り可能な記録媒体」とは、インターネット等のネットワークあるいは電話回線等の通信回線を介してプログラムが送信された場合のサーバーやクライアントとなるコンピューターシステム内部の揮発性メモリー（ＲＡＭ：Ｒａｎｄｏｍ  Ａｃｃｅｓｓ  Ｍｅｍｏｒｙ）のように、一定時間プログラムを保持しているものも含むものとする。
【００９６】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【００９７】
以上、この発明の実施形態について図面を参照して詳述してきたが、具体的な構成はこの実施形態に限られるものではなく、この発明の要旨を逸脱しない範囲の設計等も含まれる。
【符号の説明】
【００９８】
１…ＰＯＳシステム、１１…印刷装置、１２…端末装置、１３…表示装置、１４…キャッシュドロアー、１５…バーコードスキャナー、１６…接続ケーブル、３１…外部電源、３２…ＡＣアダプター、１１１…制御部、１１２…印刷部、１１３…ロック解除電流供給部、１１４…印刷装置側コネクター、１３１…ロック機構、１３２…ドロアートレイ、１３３…ドロアー側コネクター、１５１…ソレノイドコイル、３１１…電源部、１０１１…特性、Ａ１…第１入力端子、Ｂ１…第１ラッチ回路、Ｃ１…第１コンデンサー、Ｃ２…第２コンデンサー、Ｆ１…第１サーミスター、Ｑ１…第１トランジスター、Ｑ２…第２トランジスター、Ｑ３…第３トランジスター、Ｑ４…第４トランジスター、Ｑ５…第５トランジスター、Ｑ６…第６トランジスター、Ｑ７…第７トランジスター、Ｑ８…第８トランジスター、Ｑ９…第９トランジスター、Ｑ１０…第１０トランジスター、Ｑ１１…第１１トランジスター、Ｑ１２…第１２トランジスター、Ｒ１…第１抵抗、Ｒ２…第２抵抗、Ｒ３…第３抵抗、Ｒ４…第４抵抗、Ｒ５…第５抵抗、Ｒ６…第６抵抗、Ｒ７…第７抵抗、Ｒ８…第８抵抗、Ｒ９…第９抵抗、Ｒ１０…第１０抵抗、Ｒ１１…第１１抵抗、Ｒ１２…第１２抵抗、Ｒ１３…第１３抵抗、Ｒ１４…第１４抵抗、ＳＷ１…第１スイッチ
【図１】
2020010537.tif 000003
【図２】
2020010537.tif 000004
【図３】
2020010537.tif 000005
【図４】
2020010537.tif 000006
【図５】
2020010537.tif 000007
【図６】
2020010537.tif 000008